(57)【要約】【課題】軽量気泡コンクリートパネルによって構成した外壁に形成された開口部であって、高い耐火性を保持させると共に美観を損なわせることのない開口部構造を構成する。【解決手段】開口部構造は、ＡＬＣパネル１からなる外壁Ａに形成され、近傍に柱２が配置された開口部Ｂであって、開口部Ｂに配置された開口枠４に於ける柱２側に、外壁Ａを構成するＡＬＣパネル１と同一の厚さと開口枠４と同一の高さを持ったコーナーパネル３（ＡＬＣ部材）を配置する。【選択図】              図１
2004232428.tif 000002
【特許請求の範囲】
【請求項１】
軽量気泡コンクリートパネルからなる外壁に形成され近傍に柱が配置された開口部の構造であって、開口部に配置された開口枠に於ける柱側に、開口部と同一面にある外壁を構成する軽量気泡コンクリートパネルと同一の厚さと開口枠と同一の高さを持った軽量気泡コンクリート部材を配置することを特徴とする開口部構造。
【発明の詳細な説明】
【０００１】
【発明の属する技術分野】
本発明は、軽量気泡コンクリートパネルによって構成された外壁に於ける開口部構造に関し、特に、近傍に柱が配置されている開口部の外観意匠を向上させることが出来る構造に関するものである。
【０００２】
【従来の技術】
鉄骨造の躯体に複数の軽量気泡コンクリートパネルを取り付けて外壁を構成した住宅が建築されている。このような住宅では、外壁の所定位置に窓や出入口を構成するための複数の開口部が形成される。開口部の位置は躯体を構成する柱の位置と関連付けられて設定されている。
【０００３】
軽量気泡コンクリートパネルからなる外壁に形成され該外壁と同一面にある開口部にサッシを取り付ける場合、開口部の周囲に下地材又は開口パネルを配置して躯体に固定し、この下地材又は開口パネルにサッシ枠，シャッター枠を含む開口枠を取り付けるのが一般的である。また柱が存在する場合、柱を避けるために幅の狭い市販のサッシ枠を標準とすることが提案されている。
【０００４】
軽量気泡コンクリートパネルからなる外壁に形成された開口部は、該建物に設定されたモジュール寸法に対応した軽量気泡コンクリートパネルの幅寸法に応じて決定され、通常、開口部の端部が柱の中心と一致することとなる。このため、開口部の有効幅は柱の外側面よりも小さい寸法となり、この柱を回避するための部材を形成して開口部に配置してサッシを設置するのが一般的である。このような理由から、軽量気泡コンクリートからなる外壁を形成された開口部に設置するサッシとしては専用サッシが用いられている。
【０００５】
例えば、開口部の近傍に柱、特に耐火被覆が形成された柱が存在する場合、開口部に占める柱の寸法が大きくなり、美観上この柱を覆う必要が生じる。前記柱を覆う方法として、開口部に取り付ける開口枠を構成する縦枠材の寸法を大きくする方法、或いは開口枠に補助枠（アタッチメント）を取り付ける方法（例えば非特許文献１参照）があり、前記何れかの方法を選択して実施している。この技術は、軽量気泡コンクリートパネルからなる外壁に形成された開口部に住宅用サッシを取り付ける際にも応用されている。
【０００６】
別の手段として、開口パネルに取り付けられた開口枠の左右両側に標準長さの軽量気泡コンクリートパネルを配置して躯体に固定し、上下両側に所定長さの幅を狭くした軽量気泡コンクリートパネルを配置して躯体及び開口パネルに固定することで外壁及び開口部を構成している。
【０００７】
【非特許文献】
公技番号９９−４２３９号
【０００８】
【発明が解決しようとする課題】
上記の如く、近傍に柱が存在する開口部では、実質的に障子を取り付ける開口部の幅寸法が小さくなり、開口枠の縦枠或いは補助枠の縦枠の寸法を大きくする必要が生じる。この結果、開口部に設置されるサッシを特殊な横寸法で構成せざるを得ないという問題や、開口部に配置されるサッシの周囲に配置された縦枠，横枠の寸法のバランスが失われ美観を損なうという問題が生じる。また縦枠，横枠の寸法を等しくする場合、サッシの周囲に大きい寸法を持った部分が出現することとなり、やはり美観が損なわれるという問題が生じる。
【０００９】
一方、軽量気泡コンクリートパネルからなる外壁に構成された開口部に設置するサッシは、耐火性の観点から軽量気泡コンクリートパネルの専用サッシか、ビル用サッシを用いるのが一般的であり、デザインの選択肢が少ないという問題や価格が高いという問題があった。
【００１０】
しかし、最近の法令の改正に伴って三階建て住宅という条件の基に住宅用サッシを使用し得るようになった。この住宅用サッシは豊富な機種が提供されており、意匠的な選択肢が大きいという利点がある。このため、住宅用サッシを軽量気泡コンクリートパネルからなる外壁の開口部に用いる構造の開発が要求されているが、このような住宅用サッシを使用する場合にも、開口部の近傍に柱が存在する場合、該柱を回避し且つ美観を損なわせることのない開口部構造の開発が必要である。
【００１１】
例えば開口部の近傍に存在する柱を回避するために、縦方向の全長にわたって幅の狭い軽量気泡コンクリートパネルを取り付けた場合、開口部上下の軽量気泡コンクリートの幅を狭くするために縦方向に切断することとなり、余計な目地部が構成されるため美観を損なうという問題が生じる。この場合、切断のための作業が増加するばかりではなく、切断作業に伴う軽量気泡コンクリートパネルそのものの損傷や形状の不統一等が発生し得るという問題がある。
【００１２】
本発明の目的は、高い耐火性を保持することが出来、且つ美観を損なうことのない開口部構造を提供することにある。
【００１３】
【課題を解決するための手段】
上記課題を解決するために本発明に係る開口部構造は、軽量気泡コンクリートパネルからなる外壁に形成され近傍に柱が配置された開口部の構造であって、開口部に配置された開口枠に於ける柱側に、開口部と同一面にある外壁を構成する軽量気泡コンクリートパネルと同一の厚さと開口枠と同一の高さを持った軽量気泡コンクリート部材を配置するものである。
【００１４】
上記開口部構造では、軽量気泡コンクリート（以下「ＡＬＣ」という）パネルからなる外壁に形成された開口部の近傍に、柱が存在する場合、この開口部に配置された開口枠の前記柱側に、ＡＬＣパネルと同一の厚さを持ち且つ開口枠と同一の高さを持ったＡＬＣ部材を配置することによって、該開口枠の左右方向の寸法を短縮して柱を避けることが出来る。
【００１５】
本発明に於いて、開口部の近傍に配置された柱とは、開口部と外壁との境界に配置された柱をいう。
【００１６】
特に、開口部と柱とＡＬＣ部材との配置関係を、ＡＬＣパネルからなる外壁に於ける入隅部と同様の関係とすることによって、この開口部を通常の入隅部に形成した開口部と共通化することが出来る。従って、開口部に既存の入隅用サッシを利用することが可能となり、部品点数を増加させることがなく且つ管理手間を増加させることがない。
【００１７】
またＡＬＣ部材の高さが開口枠の高さ寸法と同一に形成されているため、開口部の上下に取り付けられるＡＬＣパネルは建物に設定されたモジュール寸法のものを利用することが出来る。即ち、開口部の上下の外壁面を通常のモジュール寸法を持ったＡＬＣパネルを利用して構成することが出来、ＡＬＣパネルに対する切断作業を伴うことがない。
【００１８】
このため、ＡＬＣ部材と開口枠との間に形成される目地部は該開口枠の内部で完結し、ＡＬＣ部材と開口枠との境界を開口枠の高さの範囲に納めることが可能となり、美観を損なうことのない開口部を構成することが出来る。
【００１９】
特に、ＡＬＣ部材としてＡＬＣのバー材、或いはＡＬＣコーナーパネルを利用することによって、開口枠に沿って取り付けたＡＬＣ部材と周囲の外壁を構成するＡＬＣパネルとの違和感がなく美観を損なうことがない。
【００２０】
【発明の実施の形態】
以下、本発明に係る開口部構造の好ましい実施形態について説明する。本発明に係る開口部構造は、鉄骨造の躯体にＡＬＣパネルを取り付けて構成した外壁に形成された開口部に於いて、該開口部の近傍、特に開口部と外壁との境界に柱が存在するような部位であって、該柱の外側面が開口部の内部に大幅に入り込むような場合、この開口部を美観を損なうことなく耐火性を保持させるものであり、且つ該開口部に一般に流通している住宅用サッシを取り付けることが可能なようにしたものである。
【００２１】
本発明に於いて、外壁は鉄骨造の躯体に複数のＡＬＣパネルを取り付けて構成されており、該外壁の予め設定された位置に予め設定された寸法の開口部が形成される。ＡＬＣパネルの幅寸法は建物に設定されたモジュール寸法に対応しており、開口部の幅もモジュール寸法に対応している。従って、開口部の幅寸法は住宅の設計段階で、モジュール寸法の整数倍に適宜設定される。
【００２２】
外壁の屋内側であって開口部の近傍には柱が配置されている。この柱は開口部の左右方向両側に配置される場合と、片側に配置される場合とがある。即ち、開口部と柱との関係は、該柱が開口部の近傍に存在することが条件であり、数量を限定するものではない。
【００２３】
開口部の近傍に配置された柱は素材が露出した状態であって良いが、耐火性を有する住宅の場合、柱の外側面の周囲にケイ酸カルシウムボードや石膏ボードからなる耐火材を被覆したものであることが好ましい。柱の周囲に耐火材を被覆する場合、耐火材の材質や取付方法を限定するものではなく、通常使用される耐火材を通常の手段で取り付けたものであって良い。
【００２４】
開口枠としては一般的にはサッシ枠であるが、サッシ枠のみに限定するものではなく、シャッター枠も含み、更にはサッシ枠とシャッター枠とが一体化した枠をも含むことが好ましい。
【００２５】
また開口枠の材質も特に限定するものではなく、規格化されて市販されている住宅用サッシに利用されているアルミニウム、或いはアルミニウムと合成樹脂との複合材の何れも用いることが可能である。
【００２６】
開口枠の高さとは、該開口枠がサッシ枠である場合サッシの縦方向の寸法と略等しく、また開口枠がシャッター枠，或いはサッシ枠とシャッター枠とが一体化したものである場合サッシの下端部からシャッターのスラットを収容するボックスの天端までの寸法と略等しい。従って、開口部に設置されるサッシが、下端部が床面と一致した位置にあり、人が出入りすることが可能な高さである場合、開口枠の高さも前記サッシの高さと一致することになる。
【００２７】
開口枠の上部及び下部、或いは開口枠の上部にはＡＬＣパネルが配置され、建物の躯体を構成する梁と、該梁に取り付けた開口パネルとに固定されている。これらのＡＬＣパネルとしては、隣接する外壁を構成するＡＬＣパネルと同一のデザインを有するものを利用することが好ましい。特に、開口部の下部に配置されるＡＬＣパネルは、建物の意匠上非常に目立つ場所であるため、幅寸法を含んで外壁を構成するＡＬＣパネルと同一のものであることが好ましい。
【００２８】
開口枠に沿って配置され該開口枠の高さと同一の高さを持ったＡＬＣ部材は、外壁を構成するＡＬＣパネルと同一の厚さを有する。しかし、ＡＬＣ部材の断面形状は特に限定するものではなく、平板状（スティック）に形成されたもの、或いはＬ型に形成されたものを用いることが可能である。この場合、ＡＬＣ部材を固定するための部材（例えば柱に固定するか開口枠に固定するか等）に応じて適宜選択することが好ましい。特に、ＡＬＣ部材の幅寸法をコーナーパネルの幅寸法と同一寸法とすることが好ましい。ＡＬＣ部材の幅寸法をこのようにすることで、開口部の有効幅を入隅部の幅と同一にすることが可能となる。
【００２９】
ＡＬＣ部材の固定構造は特に限定するものではなく、例えば、開口部の屋内側に配置されて躯体に固定される開口パネルに固定しても良く、柱に固定しても良い。しかし、開口枠に固定することが好ましく、このようにＡＬＣ部材を開口枠に固定することで、開口部の近傍に１本の柱のみが配置されている場合であっても該開口部の両側にＡＬＣ部材を配置して見た目のバランスを向上させることが可能である。
【００３０】
特に、開口部の一方側に柱が存在している場合、該開口部の両側にＡＬＣパネルの厚さと等しい厚さを持ったＡＬＣ部材を配置することによって、図に示すように、この開口部の寸法を入隅部に形成される開口部の寸法と同等とすることが可能である。従って、外壁の一般部に形成された開口部であっても入隅部と同等の開口部とし、従来より使用されていた入隅用サッシを設置することが可能となる。
【００３１】
更に、開口部の開口枠にＡＬＣパネルの厚さと等しい厚さを持ったＡＬＣ部材を配置することによって、該ＡＬＣ部材の開口枠側の面の内法寸法が開口部の有効幅寸法となり、この幅寸法は開口部の横方向の寸法の如何に関わらず、木造住宅に於ける柱の内法からなる開口部の寸法に接近することとなる。従って、ＡＬＣ部材を配置した開口部に住宅用サッシを設置することが可能となる。
【００３２】
またＡＬＣ部材が開口枠の高さと等しい高さを有するため、該ＡＬＣ部材を開口枠の柱側に配置したとき、このＡＬＣ部材は開口枠からはみ出すことがない。このため、開口枠の上部，下部に配置されるＡＬＣパネルの幅方向を切断加工する必要がない。即ち、ＡＬＣ部材の高さと開口枠の高さを等しくすることによって、開口部の上部，下部に配置されるＡＬＣパネルを規格サイズの標準品を使用することが可能となり有利である。また開口部の上部及び下部に配置されるＡＬＣパネルは縦方向の切断を行う必要がなく、施工上も有利である。
【００３３】
上記の如く、ＡＬＣ部材と開口枠の高さを等しくすることによって、開口部の上部，下部に形成された外壁に余計な目地部が形成されることがない。このため、意匠性に優れた外壁を構成することが可能となる。
【００３４】
次に、本発明に係る開口部構造の好ましい実施例について図を用いて説明する。図１は本実施例に係る開口部構造の構成を模式的に説明する平面図である。図２は入隅部に形成された開口部の構成を模式的に説明する平面図である。図３は開口枠の高さと同一高さのＡＬＣ部材を配置した開口部の外観と開口枠の高さとは無関係な高さを持ったＡＬＣ部材を配置した開口部の外観を比較する図である。図４は高さが約１３００ｍｍ〜約１６００ｍｍの開口部の外観を示す図である。図５は図５は高さが約２５００ｍｍの開口部の外観を示す図である。図６は開口枠にＡＬＣ部材を取り付ける構造の例を説明する図である。
【００３５】
図１に於いて、外壁Ａは複数のＡＬＣパネル１を並べて配置すると共に該ＡＬＣパネルを躯体を構成する図示しない梁に取り付けて構成されている。外壁Ａの所定位置には、近傍に柱２が配置された開口部Ｂが形成されている。本実施例では、開口部Ｂの横方向の両端側の近傍に夫々柱２が配置されている。
【００３６】
柱２の中心の間隔は建物に設定されたモジュール寸法の整数倍の寸法を有しており、且つＡＬＣパネル１の幅寸法もモジュール寸法の整数倍に設定されている。このため、ＡＬＣパネル１の端面と柱２の中心とが一致した状態で取り付けられている。
【００３７】
開口部Ｂに於ける柱２側（本実施例では横方向の両側）には、夫々ＡＬＣ部材としてのコーナーパネル３が配置されており、且つ引き違い窓としての機能を発揮し得る開口枠４が設置されている。そして開口枠４には２枚の障子５が移動可能に配置されている。
【００３８】
コーナーパネル３は断面がＬ字型に形成されており、ＡＬＣパネル１と同一の厚さを持って形成され、且つ幅寸法はコーナーパネル３の厚さと柱２を回避し得るように該柱２の外径寸法の１／２の寸法を加えた寸法を有している。
【００３９】
従って、柱２を巻き込むようにしてコーナーパネル３を配置して該柱２を覆ったとき、開口部Ｂの有効幅（コーナーパネル３の内法寸法）Ｌは、柱２の中心間距離から、該柱２の外径寸法とコーナーパネル３の厚さの２倍とを引いた値（柱２の中心間距離からコーナーパネル３の幅寸法の２倍の寸法を引いた寸法）となる。
【００４０】
また開口部Ｂの近傍に１本の柱２が配置されている場合であっても、開口部Ｂの横方向の両側にＡＬＣ部材３を配置した場合には、開口部Ｂの有効幅Ｌは上記寸法と同一となる。また開口部Ｂに於ける柱１の反対側にコーナーパネル３の代わりに平板状のＡＬＣ部材を配置した場合、このＡＬＣ部材の幅寸法をコーナーパネル３の幅寸法と同一寸法とすることで、開口部Ｂの有効幅Ｌを上記寸法と同一にすることが好ましい。
【００４１】
通常の住宅の場合、柱２の中心に至る幅を持った開口枠を形成し、この開口枠を開口部に配置しているため、開口部の有効幅は、柱の内法寸法よりも僅かに小さい寸法となる。
【００４２】
従って、開口部Ｂに設置される開口枠４の内法寸法は、通常の住宅に於ける同一の開口部に設置される開口枠と比較すると極めて小さい寸法となる。しかし、開口部Ｂの有効幅Ｌは、前述したように柱２の中心間距離から、コーナーパネル３の幅寸法の２倍の寸法を引いた値となり一定となる。
【００４３】
即ち、ＡＬＣ部材の幅寸法を適宜設定することによって、開口部Ｂの有効幅Ｌの寸法を調整することが可能となる。言い換えると、開口部Ｂに市販されている住宅用サッシのサッシ枠を取り付ける際に必要な寸法を検討し、この寸法を満足するＡＬＣ部材を配置することで、ＡＬＣ専用サッシやビル用サッシ以外に住宅用サッシを用いることが可能となる。
【００４４】
図２は従来のＡＬＣパネルからなる外壁を有する住宅に於ける入隅部Ｃの構成と該入隅部Ｃに形成された開口部Ｄの構成を説明する図であり、本発明の開口部Ｂの構造と比較するための図である。図に於いて、図１と同一の部分及び同一の機能を有する部分には同一の符号を付して説明を省略する。
【００４５】
図に於いて、入隅部Ｃには予め設定された間隔を持って一対の柱２が配置されており、該柱２の対向する面にＡＬＣパネル１が配置されている。従って、対向して配置されたＡＬＣパネル１の内法寸法（開口部Ｄの有効幅）は、柱２の中心間の距離から該柱２の外径寸法とＡＬＣパネル１の厚さの２倍とを引いた値となる。
【００４６】
上記の如き開口部Ｄの有効幅は、本発明図１に於ける開口部Ｂの有効幅Ｌと同一寸法であり、従って、開口部Ｄと開口部Ｂは同一の有効幅Ｌを有することとなる。このため、従来から利用されている開口部Ｄに使用するサッシを本実施例に係る開口部Ｂに使用することが可能となり、部品の共通化を実現することが可能である。
【００４７】
次に、ＡＬＣ部材となるコーナーパネル３の高さを開口枠４の高さと等しくすることの利点について、図３により説明する。同図（ａ）はコーナーパネル３の高さが開口枠４の高さと等しい場合を示し、同図（ｂ）は開口枠４の天端から下階のＡＬＣパネルに致す高さのコーナーパネル１１とした場合を示している。
【００４８】
同図（ａ）に明らかなように、コーナーパネル３の高さを開口枠４の高さと等しくした場合には、開口枠４の下側に配置されたＡＬＣパネル６，上側に配置されたＡＬＣパネル７は、幅寸法がモジュール寸法の整数倍に設定された通常のＡＬＣパネルを用いることが可能であり、該ＡＬＣパネル６，７を縦方向に切断するような余分な加工を施す必要がなく、開口枠４の下側に余分な目地部が形成されることもなく、スッキリした壁面を形成することが可能である。
【００４９】
これに対し、同図（ｂ）の場合、開口枠４に沿って配置されたコーナーパネル１１が外構枠４に沿って貫通して配置されるため、開口枠４の下側に配置されたＡＬＣパネル１２は、コーナーパネル１１の幅に相当する寸法だけ狭くすることが必要となり、このようなＡＬＣパネル１２を得るために、通常用いるモジュール寸法の整数倍の幅からコーナーパネル１１の幅寸法に相当する寸法だけ切断することが必要となる。また開口枠４の下側にコーナーパネル１１とＡＬＣパネル１２との間に形成された目地部１３が露出し、外観性能を損なうこととなる。
【００５０】
従って、ＡＬＣ部材となるコーナーパネル３は、開口枠４の高さと等しい高さを有することが必要である。
【００５１】
次に、本発明に係る開口部の他の例について図４，図５により説明する。図に於いて、ＡＬＣパネル１，６，７の幅寸法は建物に設定されたモジュール寸法の２倍である６１０ｍｍに設定されている。またコーナーパネル３は厚さが約７５ｍｍ幅が約１００ｍｍに設定されている。
【００５２】
図４（ａ）は、外壁Ａに高さが１３６０ｍｍで幅が１８３０ｍｍの開口部Ｂが形成されており、この開口部Ｂの左側に柱が配置され、該柱側にコーナーパネル３が配置されている。この例では、幅寸法が約１７００ｍｍのサッシを取り付けることが可能であり、このサッシを取り付けたとき、開口部Ｂの下側に配置されるＡＬＣパネル６、及び上側に配置されるＡＬＣパネル７としてＡＬＣパネル１と同一幅のものを用いることが可能である。この例では、サッシ枠４がコーナーパネル３の幅分、開口部Ｂの右側に偏って配置されることになるが、上下の壁面には余分な目地部が形成されることがなく、スッキリとした壁面を構成することが可能である。
【００５３】
同図（ｂ）は、外壁Ａに高さが１３６０ｍｍで幅が１２２０ｍｍの開口部Ｂが形成されており、この開口部Ｂの両側にコーナーパネル３が配置されている。この例では、幅寸法が約１０００ｍｍのサッシを取り付けることが可能であり、このサッシを取り付けたとき、開口部Ｂの下側に配置されるＡＬＣパネル６、及び上側に配置されるＡＬＣパネル７としてＡＬＣパネル１と同一幅のものを用いることが可能である。この例では、開口部Ｂの上下の壁面には余分な目地部が形成されることがなく、スッキリとした壁面を構成することが可能である。
【００５４】
同図（ｃ）は、外壁Ａに高さが１３６０ｍｍで幅が９１５ｍｍの開口部Ｂが形成されている。このため、開口部Ｂの下側には幅６１０ｍｍのＡＬＣパネル６と幅３０５ｍｍのＡＬＣパネル６ａが、また開口部Ｂの上側には幅６１０みりのＡＬＣパネル７と幅３０５ｍｍのＡＬＣパネル７ａが配置されており、また開口部Ｂの両側にコーナーパネル３が配置されている。この例では、幅寸法が約７００ｍｍのサッシを取り付けることが可能であり、このサッシを取り付けたとき、開口部Ｂの下側に配置されるＡＬＣパネル６、及び上側に配置されるＡＬＣパネル７としてＡＬＣパネル１と同一幅のものを用いることが可能である。この例では、開口部Ｂの上下の壁面には余分な目地部が形成されることがなく、スッキリとした壁面を構成することが可能である。
【００５５】
同図（ｄ）は、外壁Ａに、高さが１３６０ｍｍで幅が約６１０ｍｍの開口部Ｂが形成されており、この開口部Ｂの左側に柱が配置され、該柱側にコーナーパネル３が配置されている。この例では、幅寸法が約５００ｍｍのサッシを取り付けることが可能であり、このサッシを取り付けたとき、開口部Ｂの下側に配置されるＡＬＣパネル６、及び上側に配置されるＡＬＣパネル７としてＡＬＣパネル１と同一幅のものを用いることが可能である。この例では、サッシ枠４がコーナーパネル３の幅分、開口部Ｂの右側に偏って配置されることになるが、上下の壁面には余分な目地部が形成されることがなく、スッキリとした壁面を構成することが可能である。
【００５６】
同図（ｅ）は、外壁Ａに高さが１５６９ｍｍで幅が１８３０ｍｍの開口部Ｂが形成されており、この開口部Ｂの両側にコーナーパネル３が配置されている。この例では、幅寸法が約１６００ｍｍのサッシを取り付けることが可能であり、このサッシを取り付けたとき、開口部Ｂの下側に配置されるＡＬＣパネル６、及び上側に配置されるＡＬＣパネル７としてＡＬＣパネル１と同一幅のものを用いることが可能である。この例では、開口部Ｂの上下の壁面には余分な目地部が形成されることがなく、スッキリとした壁面を構成することが可能である。
【００５７】
尚、同図（ｅ）に於いて、開口枠４はサッシ枠とシャッター枠を一体化して構成されており、上部にシャッターのスラットを巻き付ける巻き体を収容したシャッターボックス８が形成されている。
【００５８】
図５（ａ）は、外壁Ａに高さが２５２３ｍｍで幅が２４４０ｍｍの開口部Ｂが形成されており、この開口部Ｂの両側にコーナーパネル３が配置されている。この例では、開口部Ｂの下側にはＡＬＣパネルは配置されることがなく、上側に幅６１０ｍｍのＡＬＣパネル９が配置されている。また前記開口部Ｂでは、幅寸法が約２２００ｍｍのサッシを取り付けることが可能であり、このサッシを取り付けたとき、開口部Ｂの上側の壁面には余分な目地部が形成されることがなく、スッキリとした壁面を構成することが可能である。
【００５９】
同図（ｂ）は、外壁Ａに高さが２３１４ｍｍで幅が１８３０ｍｍの開口部Ｂが形成されており、この開口部Ｂの左側にコーナーパネル３が配置されている。この例も同様に開口部Ｂの下側にはＡＬＣパネルは配置されることがなく、上側に幅６１０ｍｍのＡＬＣパネル１０が配置されている。また前記開口部Ｂでは、幅寸法が約１７００ｍｍのサッシを取り付けることが可能であり、このサッシを取り付けたとき、開口部Ｂの上側の壁面には余分な目地部が形成されることがなく、スッキリとした壁面を構成することが可能である。
【００６０】
次に、開口部Ｂに配置されたコーナーパネル３を固定する構造の例について図６により説明する。図に於いて、柱２の外周面であって外壁Ａを構成するＡＬＣパネル１及びコーナーパネル３と対向する面以外の面には、平板状の耐火材１４が配置されており、所定の手段で固定されている。従って、柱２の外形寸法は、素材の寸法に耐火材１４の厚さを加えた分大きくなっている。
【００６１】
図に示すように、開口枠４の縦枠４ａの所定位置には支持ブラケット２１を固定する固定片４ｂ、調整ブラケット２２を固定する固定片４ｃを有しており、固定片４ｂの予め設定された位置にボルト穴が形成され、固定片４ｃの予め設定された２個所にボルト穴が形成されている。
【００６２】
支持ブラケット２１は、コーナーパネル３の下端部を載置する載置片２１ａと、補強片２１ｂと、開口枠４の固定片４ｂに固定される取付片２１ｃとを有している。そして載置片２１ａが開口部Ｂの下端部（開口部Ｂの下側に配置されたＡＬＣパネル７の上端部）に位置するように設定され、この状態で取付片２１ｃがボルト２３ａ，ナット２３ｂによって開口枠４の固定片４ｂに固定されている。従って、載置片２１ａにコーナーパネル３を載置することで、該コーナーパネル３を支持ブラケット２１を介して開口枠４によって支持することが可能である。
【００６３】
調整ブラケット２２は、取付片２２ａと、調整片２２ｂとを有するクランク状のピース金物として形成されており、コーナーパネル３の高さ方向の２個所に配置されて開口枠４の固定片４ｃに対しボルト２３ａ，ナット２３ｂによって固定されている。調整片２２ｂには中央に後述する固定ネジ２６ａを嵌合する穴が形成されると共に該穴の両側に雌ネジが形成されている。
【００６４】
コーナーパネル３の裏面側には、開口枠４に固定した調整ブラケット２２と対向する位置にコーナーパネル３の裏面形状に対応した形状を有し、コーナーパネル３を固定する固定片２４ａと、調整片２４ｂを有するプレート２４が配置されている。そしてコーナーパネル３はボルト２５ａ，ナット２５ｂによって固定片２４ａに固定されている。
【００６５】
調整片２４ａには固定ネジ２６ａが起立しており、該固定ネジ２６ａが調整ブラケット２２の調整片２２ｂに形成された穴に挿通され、この状態でナット２６ｂが螺合している。また調整ブラケット２２の調整片２２ｂに形成された２個の雌ネジには夫々調整ネジ２７が螺合し、先端が調整片２４ａの表面に当接している。
【００６６】
従って、コーナーパネル３をプレート２４に固定した状態で支持ブラケット２１に載置すると共に調整片２４ｂに設けた固定ネジ２６ａを調整ブラケット２２の調整片２２ｂに設けた穴に挿通すると共にナット２６ｂを螺合し、該穴の両側に形成した雌ネジに調整ネジ２７を螺合して先端を調整片２４ｂに当接させ、この状態で何れかの調整ネジ２７を緩めたり突っ張ったりすることで、コーナーパネル３の姿勢を調整して外側面がＡＬＣパネル１の外側面と同一面内に位置するように調整することが可能である。そして前記調整が終了した後、ナット２７ｂを締結することで、コーナーパネル３を開口枠４に取り付けることが可能となる。
【００６７】
上記の如くして開口枠４にコーナーパネル３を取り付けることで、開口枠４の外側面とコーナーパネル３の外側面との相対的な位置関係も調整することが可能となり、開口枠４（サッシ）の外壁Ａに対する奥行き方向の位置を調整することも可能となる。
【００６８】
前述の実施例では、開口部Ｂに配置するＡＬＣ部材としてコーナーパネル３を用いる場合について説明したが、コーナーパネル３に代えて平板状のＡＬＣ部材を用いることも可能である。この平板状のＡＬＣ部材を開口枠４に取り付ける場合、コーナーパネル３を取り付ける際の構造と略同様の構造を採用することが可能である。
【００６９】
特に、ＡＬＣ部材としてコーナーパネル３を利用した場合、該コーナーパネル３が耐火材としての機能を有するため、柱２の外側面であって、コーナーパネル３と対向する面及び外壁Ａを構成するＡＬＣパネル１と対向する面には耐火材１４を配置する必要がなく、この分、柱２に対する耐火材１４の被覆を容易にすることが可能となる。
【００７０】
【発明の効果】
以上詳細に説明したように本発明に係る開口部構造では、ＡＬＣパネルからなる外壁に形成された開口部の近傍に柱が存在する場合、この開口部に配置された開口枠の前記柱側に、ＡＬＣパネルと同一の厚さを持ち且つ開口枠と同一の高さを持ったＡＬＣ部材を配置することによって、該開口枠の左右方向の寸法を短縮して柱を覆うことが出来る。
【００７１】
特に、開口部を通常の入隅部に形成した開口部と共通化することによって、該開口部に既存の入隅用サッシを利用することが可能となり、部品点数を増加させることがなく且つ管理手間を増加させることがない。
【００７２】
またＡＬＣ部材の高さが開口枠の高さ寸法と同一に形成されているため、開口部の上下に取り付けられるＡＬＣパネルは建物に設定されたモジュール寸法のものを利用することが出来る。このため、ＡＬＣ部材と開口枠との間に形成される目地部は開口部の内部で完結し、ＡＬＣ部材と開口枠との境界を開口部の高さの範囲に納めることが可能となり、美観を損なうことのない開口部を構成することが出来る。
【００７３】
特に、開口部に開口枠と等しい高さを持ったＡＬＣ部材を配置することによって、該開口部の耐火性を向上させて高い性能を持った耐火住宅を実現することが出来る。
【図面の簡単な説明】
【図１】本実施例に係る開口部構造の構成を模式的に説明する平面図である。
【図２】入隅部に形成された開口部の構成を模式的に説明する平面図である。
【図３】開口枠の高さと同一高さのＡＬＣ部材を配置した開口部の外観と開口枠の高さとは無関係な高さを持ったＡＬＣ部材を配置した開口部の外観を比較する図である。
【図４】高さが約１３００ｍｍ〜約１６００ｍｍの開口部の外観を示す図である。
【図５】高さが約２５００ｍｍの開口部の外観を示す図である。
【図６】開口枠にＡＬＣ部材を取り付ける構造の例を説明する図である。
【符号の説明】
Ａ                  外壁
Ｂ，Ｄ              開口部
Ｃ                  入隅部
Ｌ                  開口部の有効幅
１                  ＡＬＣパネル
２                  柱
３                  コーナーパネル
４                  開口枠
４ａ                縦枠
４ｂ，４ｃ          固定片
５                  障子
６，６ａ，７，７ａ，９，１０
ＡＬＣパネル
８                  シャッターボックス
９
１１                  コーナーパネル
１２                  ＡＬＣパネル
１３                  目地部
１４                  耐火材
２１                  支持ブラケット
２１ａ                載置片
２１ｂ                補強片
２１ｃ                取付片
２２                  調整ブラケット
２２ａ                取付片
２２ｂ                調整片
２３ａ，２５ａ          ボルト
２３ｂ，２５ｂ          ナット
２４                  プレート
２４ａ                固定片
２４ｂ                調整片
２６ａ                固定ネジ
２６ｂ                ナット
２７                  調整ネジ
【図１】
2004232428.tif 000003
【図２】
2004232428.tif 000004
【図３】
2004232428.tif 000005
【図４】
2004232428.tif 000006
【図５】
2004232428.tif 000007
【図６】
2004232428.tif 000008